(57)【特許請求の範囲】
【請求項１】
水路から除塵機(D)で掻き揚げられた塵芥を搬送するコンベヤ(1)と、コンベヤ(1)から送り出された塵芥を貯留する昇降式のホッパー(2)とを備え、ホッパー(2)が下降位置にあるとき、塵芥をコンベヤ(1)からホッパー(2)へ送り込み、ホッパー(2)が上昇位置にあるとき、その底面を開いて、塵芥をホッパー(2)からトラック(T)の荷台へ落下させる除塵設備の排出機構において、前記コンベヤ(1)の設置面(s)及びホッパー(2)の昇降路の底面(b)の高さを、トラック(T)の進入路の路面(p)の高さよりも低く設定し、ホッパー(2)を上昇位置でトラック(T)の荷台の上方へ位置づけられるように、水平方向へ移動可能とし、前記コンベヤ(1)を伸縮式のベルトコンベヤとして、伸長時にヘッド部が下端位置にあるホッパー(2)の上方に位置し、短縮時にヘッド部がホッパー(2)の昇降路に干渉しないように退避するものとし、その伸縮機構は、送りねじ軸(23)の回転に伴い前後方向に移動する移動フレーム(12)に、ヘッドプーリー(14)及び移動プーリー(15)を設け、これにエンドレスのベルト(10)を巻き掛ける構造としたことを特徴とする除塵設備の塵芥搬出装置。
【発明の詳細な説明】
【技術分野】
【０００１】
この発明は、下水処理場、ポンプ場等で使用され、雨水、汚水沈砂池から排出された塵芥を搬出する装置に関するものである。
【背景技術】
【０００２】
下記特許文献１には、水路に設置された除塵機で塵芥を捕捉して掻き揚げ、この塵芥をコンベヤでホッパーへ送り込み、ホッパーの底面を開いて、塵芥をホッパーからトラックの荷台へ落下させて移載する除塵設備が記載されている。
【０００３】
また、除塵設備の塵芥搬出装置の一例として、図７及び図８に示すように、伸縮式のコンベヤ５１と昇降式のホッパー５２を備えたものが知られている。
【０００４】
この塵芥搬出装置では、水路の水面が比較的高いため、コンベヤ５１の設置面ｓの高さを、トラックの進入路の路面ｐの高さよりも若干高く設定している。
【０００５】
コンベヤ５１は、ベルトコンベヤであり、ヘッドプーリー５３とテールプーリー５４とにベルト５５を掛け渡し、電動シリンダー５６の作動により前後方向に移動する移動フレーム５７にヘッドプーリー５３を設け、機長の変更に伴う前後端間のベルト５５の長さの変化を、ウェイトプーリー５８の昇降に伴い吸収する構造とされている。
【０００６】
ホッパー５２は、支柱で囲まれた昇降路を垂直に昇降し、底面がカットゲート５９により開閉される構造とされ、昇降路の底面ｂと路面ｐとは、同一の高さで連続している。
【０００７】
この塵芥搬出装置により水路中の除塵を行う際には、図７に示すように、コンベヤ５１が伸長し、ホッパー５２が下降位置にある状態で、水路から除塵機Ｄにより塵芥を掻き揚げ、その塵芥をコンベヤ５１で搬送し、コンベヤ５１からホッパー５２に送り込む。
【０００８】
そして、この運転を所定時間継続し、ある程度の塵芥がホッパー５２に溜まったとき、図８に示すように、コンベヤ５１をヘッド部がホッパー５２の昇降路に干渉しないように短縮し、ホッパー５２を上昇させて、その下方にトラックＴを進入させ、カットゲート５９を開いて、塵芥をホッパー５２からトラックＴの荷台へ落下させて移載する。
【先行技術文献】
【特許文献】
【０００９】
【特許文献１】特開２０００−２８２４４０号公報
【発明の概要】
【発明が解決しようとする課題】
【００１０】
しかしながら、除塵機を設置する水路周辺の地形によっては、トラックの進入路の路面の高さよりも、水路の水面が相当低くなる場合がある。
【００１１】
そのような条件下で、上記のような塵芥搬出装置を設置しようとすると、除塵機の揚程を大きく設定しなければならず、設置コストがかかるほか、運転効率が悪くなるという問題が生じる。
【００１２】
そこで、この発明は、水路の水面が塵芥搬出用のトラックの進入路よりも相当低い場合でも、設置コストを抑制でき、運転効率も改善できるようにすることを課題とする。
【課題を解決するための手段】
【００１３】
上記のような課題を解決するため、この発明は、水路から除塵機で掻き揚げられた塵芥を搬送するコンベヤと、コンベヤから送り出された塵芥を貯留する昇降式のホッパーとを備え、ホッパーが下降位置にあるとき、塵芥をコンベヤからホッパーへ送り込み、ホッパーが上昇位置にあるとき、その底面を開いて、塵芥をホッパーからトラックの荷台へ落下させる除塵設備の排出機構において、前記コンベヤの設置面及びホッパーの昇降路の底面の高さを、トラックの進入路の路面の高さよりも低く設定し、ホッパーを上昇位置でトラックの荷台の上方へ位置づけられるように、水平方向へ移動可能としたのである。
【００１４】
また、前記コンベヤを伸縮式のベルトコンベヤとして、伸長時にヘッド部が下端位置にあるホッパーの上方に位置し、短縮時にヘッド部がホッパーの昇降路に干渉しないように退避するものとし、その伸縮機構は、送りねじ軸の回転に伴い前後方向に移動する移動フレームに、ヘッドプーリー及び移動プーリーを設け、これにエンドレスのベルトを巻き掛ける構造としたのである。
【発明の効果】
【００１５】
この発明に係る除塵設備の塵芥搬出装置では、水路の水面がトラックの進入路の路面よりも相当低い場合に、除塵機の揚程を低くしても、ホッパーを上昇位置で水平移動できるようにしたことから、ホッパーの昇降路の底面より高い路面に停車させたトラックに塵芥を積み込むことができる。
【００１６】
また、ベルトコンベヤの伸縮機構を、送りねじ軸の回転に伴い前後方向に移動する移動フレームにヘッドプーリー及び移動プーリーを設けた構造としたことによっても、コンベヤの搬送面の設置面からの高さを低く抑えて、除塵機の揚程を低くすることができ、伸縮用の長いシリンダ等を有するものよりも、構造を簡素化できる。
【００１７】
このため、従来の塵芥搬出装置に比較して、設置コストを抑制でき、運転効率も改善することができる。
【図面の簡単な説明】
【００１８】
【図１】この発明に係る塵芥搬出装置の実施形態を示す正面図
【図２】同上のホッパーの昇降移動機構を示す側面図
【図３】同上のホッパーの昇降移動機構を示す平面図
【図４】同上のコンベヤの伸縮機構を示す拡大正面図
【図５】同上のコンベヤの伸縮機構を示す拡大側面図
【図６】同上の塵芥搬出装置による塵芥搬出状態を示す正面図
【図７】従来の塵芥搬出装置のホッパー下降時の状態を示す正面図
【図８】同上のホッパー上昇時の状態を示す正面図
【発明を実施するための形態】
【００１９】
以下、この発明の実施形態を添付図面に基づいて説明する。
【００２０】
この発明に係る塵芥搬出装置は、下水処理場やポンプ場の除塵設備に設置されるものであり、図１乃至図３に示すように、水路からスクリーン式の除塵機Ｄで掻き揚げられた塵芥を搬送するコンベヤ１と、コンベヤ１から送り出された塵芥を貯留する昇降式のホッパー２とを備えている。
【００２１】
コンベヤ１の設置面ｓ及びホッパー２の昇降路の底面ｂの高さは、同一となっており、トラックの進入路の路面ｐの高さよりも低く設定されている。
【００２２】
ホッパー２を支持するフレーム３は、昇降路の底面ｂと路面ｐとに跨って立設され、フレーム３には、ホッパー２の両側に各２本のガイドレール４が取り付けられている。ガイドレール４には、昇降路の下端から上方へ延びる垂直部４ａと、その上部から路面ｐの上方へ延びる水平部４ｂとが設けられている。
【００２３】
フレーム３には、昇降路の上下端部及び路面ｐの上方への張出部にそれぞれスプロケット５が配置され、スプロケット５に巻き掛けられてモーター６により駆動されるエンドレスのチェーン７に、ホッパー２が吊り下げるように係止されている。
【００２４】
ホッパー２は、チェーン７の走行に伴い、四隅のガイドローラー８がガイドレール４に接触回転しつつ、ガイドレール４の垂直部４ａに沿って昇降し、水平部４ｂに沿って水平移動する。
【００２５】
ホッパー２には、シリンダに駆動されて底面を開閉するカットゲート９が設けられると共に、貯留した塵芥の重量を計測する秤量器も設けられている。
【００２６】
コンベヤ１は、塵芥をエンドレスのベルト１０に載せて搬送するものであり、設置面ｓに立設された固定フレーム１１により支持されている。ホッパー２の昇降路に臨む固定フレーム１１の端部には、機長の変更を可能とするため、コンベヤ１の前後方向に移動可能な移動フレーム１２が設けられている。
【００２７】
図４に示すように、固定フレーム１１の移動フレーム１２側の端部には、モーターで駆動されてベルト１０を走行させる駆動プーリー１３が設けられ、移動フレーム１２には、ヘッドプーリー１４及び移動プーリー１５が設けられている。
【００２８】
図１に示すように、固定フレーム１１の移動フレーム１２の反対側となる端部には、テールプーリー１６がベルト１０の緊張力を調整するテークアップ１７を介して設けられ、ベルト１０は、駆動プーリー１３、ヘッドプーリー１４、移動プーリー１５及びテールプーリー１６に巻き掛けられている。
【００２９】
また、コンベヤ１の機長の増減に伴うベルト１０の緊張力の変化を抑制するため、コンベヤ１の機長、又は設置状況により、テークアップ１７にウェイト１８、又はベルト１０のリターン側にウェイトプーリー１９が設けられる。
【００３０】
移動フレーム１２は、図４及び図５に示すように、固定フレーム１１側のガイドロッド２０にガイドベアリング２１を介して移動時の抵抗を軽減するように支持され、モーター２２により回転する送りねじ軸２３にナット２４を螺合させ、送りねじ軸２３の回転に伴い前後方向に移動するようになっている。
【００３１】
上記のような塵芥搬出装置を運転して水路中の除塵を行う際には、図１に示すように、ホッパー２が下端位置にあり、移動フレーム１２が前進してコンベヤ１が伸長した状態において、除塵機Ｄ及びコンベヤ１を運転し、ベルト１０により搬送される塵芥を、ホッパー２の上方に位置するコンベヤ１のヘッド部から落下させ、ホッパー２に送り込む。
【００３２】
そして、この運転をタイマーで所定時間継続し、ある程度の塵芥がホッパー２に溜まったとき、除塵機Ｄ及びコンベヤ１の運転を停止する。
【００３３】
その後、図６に示すように、移動フレーム１２を後退させて、コンベヤ１をヘッド部がホッパー２の昇降路に干渉しないように短縮し、ホッパー２を上昇させ、さらに水平移動させて、ホッパー２の下方にトラックＴを進入させ、カットゲート９を開いて、塵芥をホッパー２からトラックＴの荷台へ落下させる。
【００３４】
上記のような除塵設備の塵芥搬出装置では、水路の水面がトラックＴの進入路の路面ｐよりも相当低い場合に、除塵機Ｄの揚程を低くしても、ホッパー２を上昇位置で水平移動できるようにしたことから、ホッパー２の昇降路の底面ｂより高い路面ｐに停車させたトラックＴに塵芥を積み込むことができる。
【００３５】
また、コンベヤ１の伸縮機構を、送りねじ軸２３の回転に伴い前後方向に移動する移動フレーム１２にヘッドプーリー１４及び移動プーリー１５を設けた構造としたことによっても、コンベヤ１の搬送面の設置面ｓからの高さを低く抑えて、除塵機Ｄの揚程を低くすることができ、伸縮用の長いシリンダ等を有するものよりも、構造を簡素化できる。
【００３６】
このため、従来の塵芥搬出装置に比較して、設置コストを抑制でき、運転効率も改善することができる。
【符号の説明】
【００３７】
１  コンベヤ
２  ホッパー
３  フレーム
４  ガイドレール
４ａ  垂直部
４ｂ  水平部
５  スプロケット
６  モーター
７  チェーン
８  ガイドローラー
９  カットゲート
１０  ベルト
１１  固定フレーム
１２  移動フレーム
１３  駆動プーリー
１４  ヘッドプーリー
１５  移動プーリー
１６  テールプーリー
１７  テークアップ
１８  ウェイト
１９  ウェイトプーリー
２０  ガイドロッド
２１  ガイドベアリング
２２  モーター
２３  送りねじ軸
２４  ナット
Ｄ  除塵機
Ｔ  トラック
ｓ  コンベヤの設置面
ｂ  ホッパー昇降路の底面
ｐ  トラック進入路の路面
【要約】
【課題】水路の水面が塵芥搬出用のトラックの進入路よりも相当低い場合でも、設置コストを抑制でき、運転効率も改善できるようにする。
【解決手段】水路から除塵機Ｄで掻き揚げられた塵芥を搬送するコンベヤ１と、コンベヤ１から送り出された塵芥を貯留する昇降式のホッパー２とを備え、ホッパー２が下降位置にあるとき、塵芥をコンベヤ１からホッパー２へ送り込み、ホッパー２が上昇位置にあるとき、その底面を開いて、塵芥をホッパー２からトラックＴの荷台へ落下させる除塵設備の排出機構において、コンベヤ１の設置面ｓ及びホッパー２の昇降路の底面ｂの高さを、トラックＴの進入路の路面ｐの高さよりも低く設定し、ホッパー２を上昇位置でトラックＴの荷台の上方へ位置づけられるように、水平方向へ移動可能とする。
【選択図】図６【図１】
0005112569.tif 000002
【図２】
0005112569.tif 000003
【図３】
0005112569.tif 000004
【図４】
0005112569.tif 000005
【図５】
0005112569.tif 000006
【図６】
0005112569.tif 000007
【図７】
0005112569.tif 000008
【図８】
0005112569.tif 000009